(57)【要約】【課題】製造コストを低減しつつ圧縮効率及び耐久性を向上することができるスクロール型流体機械及びその加工方法及びその加工装置を提供する。【解決手段】鏡板(10,12)の鏡板面(10a,12a)に渦巻き状のラップ(14,16)が対をなしてそれぞれ立設された固定及び可動スクロール(8,6)を備え、固定スクロールに対し可動スクロールが公転旋回運動することにより、ラップ間に作動流体の圧縮室(20)を形成し、該圧縮室がラップの最内周部(32)に向けてその容積を減少させながら移動するスクロール型流体機械であって、可動スクロールまたは固定スクロールのうちの少なくとも一方のスクロールのラップは、該ラップの先端により形成される面が所定の曲率となる回転楕円面または球面をなす凹面部(34)を有する。【選択図】図２
2009216079.tif 000002
【特許請求の範囲】
【請求項１】
鏡板の鏡板面に渦巻き状のラップが対をなしてそれぞれ立設された固定及び可動スクロールを備え、前記固定スクロールに対し前記可動スクロールが公転旋回運動することにより、前記ラップ間に作動流体の圧縮室を形成し、該圧縮室が前記ラップの最内周部に向けてその容積を減少させながら移動するスクロール型流体機械であって、
前記可動スクロールまたは前記固定スクロールのうちの少なくとも一方のスクロールの前記ラップは、該ラップの先端により形成される面が所定の曲率となる回転楕円面または球面をなす凹面部を有することを特徴とするスクロール型流体機械。
【請求項２】
前記凹面部は、該凹面部を有する前記ラップの前記最内周部が最小ラップ高さとなることを特徴とする請求項１に記載のスクロール型流体機械。
【請求項３】
前記凹面部を有する前記ラップは、前記凹面部よりも外周側に最大ラップ高さとなるフラット部を有し、
前記所定の曲率は、前記ラップの先端において前記凹面部を前記フラット部と滑らかに連続させるべく予め設定されることを特徴とする請求項１または２に記載のスクロール型流体機械。
【請求項４】
請求項２または３に記載のスクロール型流体機械の加工方法であって、
凸面部を備えた凹面加工治具を使用し、該凸面部と前記ラップとの互いの押圧運動によって該ラップを切削または研磨することにより前記凹面部を形成する凹面加工工程を含むことを特徴とするスクロール型流体機械の加工方法。
【請求項５】
前記凹面加工治具と、前記凹面部が形成される前記ラップを前記凹面加工治具側に向けた状態で前記スクロールを固定するクランプ機構を備えた請求項４に記載の加工方法を用いたスクロール型流体機械の加工装置であって、
前記凹面加工治具及び前記クランプ機構は、前記押圧運動の方向に交差する向きに回転可能に構成され、
前記凹面加工治具と前記クランプ機構との互いの前記押圧運動及び回転運動の合成によって、前記凸面部と前記ラップとの一定の面接触状態を保ちながら前記ラップを切削または研磨することにより前記凹面部を形成することを特徴とするスクロール型流体機械の加工装置。
【請求項６】
前記凹面加工治具は、前記押圧運動の方向から所定の傾斜角にて傾斜した状態でその軸心を中心として回転可能に構成され、
前記凸面部は、前記ラップをその渦巻き中心を通過する境界線で分けたときのラップ半割領域のみに面接触されることを特徴とする請求項５に記載のスクロール型流体機械の加工装置。
【請求項７】
前記凹面加工治具は、前記クランプ機構の回転方向とは逆向きに回転されることを特徴とする請求項５または６に記載のスクロール型流体機械の加工装置。
【発明の詳細な説明】
【技術分野】
【０００１】
本発明は、スクロール型流体機械及びその加工方法及びその加工装置に係り、詳しくは、冷凍空調機やヒートポンプ式給湯機に好適なスクロール型流体機械及びその加工方法及びその加工装置に関する。
【背景技術】
【０００２】
この種のスクロール型流体機械、例えば密閉型スクロール圧縮機は、ハウジング内で固定スクロールに対し可動スクロールが公転旋回運動することにより、作動流体の吸入、圧縮及び吐出の一連のプロセスを実施するスクロールユニットを備えている。
詳しくは、可動及び固定スクロールの鏡板の鏡板面には、それぞれ渦巻き状のラップが立設され、これらラップが協働して圧縮室を形成し、この圧縮室の容積を減少することにより上記一連のプロセスを実施している。
【０００３】
そして、ラップ高さをラップ中心に向け所定の傾斜角でラップの渦巻き状に沿って直線的に減少させた傾斜面を有することにより、ラップが熱膨張してもラップの先端面と対向する鏡板面との間のスラスト方向ギャップを適正に保持することができる技術が公知である（例えば、特許文献１参照）。
【特許文献１】特許３０４６４８６号公報
【発明の開示】
【発明が解決しようとする課題】
【０００４】
しかしながら、上記従来技術では、ラップの連続する先端面に傾斜面とフラット面とを形成することにより、これら面間に段差部が形成されてしまうため、この段差部においてラップ間のかじりや作動流体の漏れが発生するとの問題がある。
また、上記従来技術の如くラップの渦巻き状に沿って傾斜面を直線的に加工するには、切削または研磨加工等により長時間を要するのが一般的であり、ラップの加工コスト、ひいては圧縮機の製造コストが増大するおそれがある。
【０００５】
本発明は、このような課題に鑑みてなされたもので、製造コストを低減しつつ圧縮効率及び耐久性を向上することができるスクロール型流体機械及びその加工方法及びその加工装置を提供することを目的とする。
【課題を解決するための手段】
【０００６】
上記の目的を達成するべく、請求項１記載のスクロール型流体機械は、鏡板の鏡板面に渦巻き状のラップが対をなしてそれぞれ立設された固定及び可動スクロールを備え、固定スクロールに対し可動スクロールが公転旋回運動することにより、ラップ間に作動流体の圧縮室を形成し、該圧縮室がラップの最内周部に向けてその容積を減少させながら移動するスクロール型流体機械であって、可動スクロールまたは固定スクロールのうちの少なくとも一方のスクロールのラップは、該ラップの先端により形成される面が所定の曲率となる回転楕円面または球面をなす凹面部を有することを特徴としている。
【０００７】
また、請求項２記載の発明では、請求項１において、凹面部は、凹面部を有するラップの最内周部が最小ラップ高さとなることを特徴としている。
更に、請求項３記載の発明では、請求項１または２において、凹面部を有するラップは、凹面部よりも外周側に最大ラップ高さとなるフラット部を有し、所定の曲率は、ラップの先端において凹面部をフラット部と滑らかに連続させるべく予め設定されることを特徴としている。
【０００８】
更にまた、請求項４記載のスクロール型流体機械の加工方法の発明は、請求項２または３において、凸面部を備えた凹面加工治具を使用し、該凸面部とラップとの互いの押圧運動によってラップを切削または研磨することにより凹面部を形成する凹面加工工程を含むことを特徴としている。
また、請求項５記載のスクロール型流体機械の加工装置の発明は、請求項４において、凹面加工治具と、凹面部が形成されるラップを凹面加工治具側に向けた状態でスクロールを固定するクランプ機構を備えたスクロール型流体機械の加工装置であって、凹面加工治具及びクランプ機構は、押圧運動の方向に交差する向きに回転可能に構成され、凹面加工治具とクランプ機構との互いの押圧運動及び回転運動の合成によって、凸面部とラップとの一定の面接触状態を保ちながらラップを切削または研磨することにより凹面部を形成することを特徴としている。
【０００９】
更に、請求項６記載の発明では、請求項５において、凹面加工治具は、押圧運動の方向から所定の傾斜角にて傾斜した状態でその軸心を中心として回転可能に構成され、凸面部は、ラップをその渦巻き中心を通過する境界線で分けたときのラップ半割領域のみに面接触されることを特徴としている。
更にまた、請求項７記載の発明では、請求項５または６において、凹面加工治具は、クランプ機構の回転方向とは逆向きに回転されることを特徴としている。
【発明の効果】
【００１０】
請求項１記載の本発明のスクロール型流体機械によれば、ラップは、ラップの先端により形成される面が所定の曲率となる回転楕円面または球面をなす凹面部を有する。これにより、凹面の曲率をスクロール型流体機械の圧縮運転時におけるラップの熱膨張量に合わせ、圧縮運転時のラップと対向する鏡板面との間のスラスト方向ギャップを段差無く適正に保持することができるため、ラップ間のかじりや作動流体の漏れを確実に防止することができる。
【００１１】
しかも、凹面部を形成することにより、圧縮室の容積を減少させることにより圧縮熱が高温となるラップの最内周部から最外周側に向けて鏡板を介して放射状に伝達される熱量を考慮してラップの熱膨張量に即したスラスト方向ギャップを保持することができるため、これらにより、スクロール型流体機械の圧縮効率及び耐久性を向上することができる。
また、請求項２記載の発明によれば、凹面部は、ラップの最内周部が最小高さとなるように形成されることにより、圧縮室における圧縮熱により最も高温となるラップの最内周部を最も大きくなる熱膨張量に合わせてスラスト方向ギャップを適正に保持することができるため、スクロール型流体機械の圧縮効率及び耐久性を確実に向上することができる。
【００１２】
更に、請求項３記載の発明によれば、所定の曲率は、ラップの先端において凹面部をフラット部と滑らかに連続するべく予め設定される。これにより、スラスト方向ギャップを確実に段差無く適正に保持することができるため、スクロール型流体機械の圧縮効率及び耐久性をより一層確実に向上することができる。
更にまた、請求項４記載の本発明のスクロール型流体機械の加工方法によれば、凹面加工治具の凸面部とラップとの互いの押圧運動によってラップを切削または研磨することにより凹面部を形成する凹面加工工程を含む。これにより、ラップの渦巻き状に沿ってその先端に加工を施す場合に比して凹面部を短時間で形成できるため、ラップの加工コスト、ひいてはスクロール型流体機械の製造コストを低減することができる。
【００１３】
また、請求項５記載の本発明のスクロール型流体機械の加工装置によれば、この加工装置が備える凹面加工治具及びクランプ機構は、押圧運動の方向に交差する向きに回転可能に構成され、凹面加工治具とクランプ機構との互いの押圧運動及び回転運動の合成によって、凸面部とラップとの一定の面接触状態を保ちながらラップを切削または研磨することにより凹面部を形成する。これにより、凸面部とラップとの互いの押圧運動によってラップを切削または研磨する場合に比して、凹面加工治具とクランプ機構との互いの回転運動が加わるため、凹面加工における加工時間を更に短縮することができるため、ラップの加工コスト、ひいてはスクロール型流体機械の製造コストを更に低減しつつスクロール型流体機械の圧縮効率及び耐久性を向上することができる。
【００１４】
更に、請求項６記載の発明によれば、凹面加工治具は、押圧運動の方向から所定の傾斜角にて傾斜した状態でその軸心を中心として回転可能に構成され、凸面部は、ラップをその渦巻き中心を通過する境界線で分けたときのラップ半割領域のみに面接触される。これにより、凸面部とラップとの接触領域を半減させることができるため、加工装置の凹面加工における加工精度の誤差の影響を半減することができ、凹面部の寸法精度を確保しつつ凹面加工における加工時間を短縮することができる。
【００１５】
更にまた、請求項７記載の発明によれば、凹面加工治具は、クランプ機構の回転方向とは逆向きに回転される。これにより、凸面部とラップとの単位時間あたりの総接触面積を倍増させることができるため、凹面加工における加工時間をより一層短縮することができる。
【発明を実施するための最良の形態】
【００１６】
以下、図面により本発明の一実施形態について先ず第１実施形態から説明する。
図１は、本実施形態に係るスクロール型流体機械の一例として、密閉型のスクロール圧縮機１のスクロールユニット２の縦断面図を示しており、当該ユニット２は、図示しない密閉容器内に収容され、回転軸４を介して図示しない電動モータにより駆動される。
当該圧縮機１は、冷凍空調装置やヒートポンプ式給湯機などの冷凍回路に組み込まれ、当回路は作動流体の一例である二酸化炭素冷媒（以下、冷媒という）が循環する経路を備え、圧縮機１は経路から冷媒を吸入し、圧縮して経路に向けて吐出する。この際、ユニット２は冷媒の吸入、圧縮及び吐出の一連のプロセスを実施する。
【００１７】
詳しくは、ユニット２は可動スクロール６及び固定スクロール８から構成され、可動スクロール６は鏡板１０を備え、この鏡板１０の鏡板面１０ａには固定スクロール８の鏡板１２に向けて延びる渦巻き状のラップ１４が立設され、一方、固定スクロール８の鏡板１２の鏡板面１２ａにも鏡板１０に向けて延びる渦巻き状のラップ１６が立設されている。
そして、これらラップ１４，１６が互いに協働し、鏡板１２の外周側に形成された冷媒の吸入ポート１８から冷媒を吸入して圧縮室２０を形成する。圧縮室２０は、固定スクロール８に対する可動スクロール６の公転旋回運動により、これらラップ１４，１６の径方向の最外周側から中心である最内周側に向けて移動しながらその容積が減少される。
【００１８】
可動スクロール６に公転旋回運動を付与するため、鏡板１０の背面側にはボス２２が形成され、ボス２２は軸受２４を介して回転軸４の上端側に一体形成される偏心軸２６に回転自在に支持されている。なお、可動スクロール６の自転は図示しない自転阻止ピンにより阻止されている。
一方、固定スクロール８は密閉容器の内側に固定される図示しないフレームに支持、固定されており、固定スクロール８の中央部分には圧縮室２０に連通可能な吐出孔２８が穿設される。
【００１９】
上述した圧縮機によれば、回転軸２６の回転に伴って可動スクロール６が自転することなく公転旋回運動することにより、吸入ポート１８を介してユニット２に吸入した冷媒をユニット２の内方に向けて移動させながら圧縮した後に吐出孔２８から吐出する。そして、吐出孔２８から吐出された冷媒は密閉容器内を循環した後に図示しない吐出ポートを介して圧縮機外へ送出される。
【００２０】
ところで、図２の可動スクロール６の縦断面図に示されるように、本実施形態のラップ１４はラップ１４の最外周側に形成されるフラット部３０と、ラップ１４の最内周部３２側に形成される凹面部３４とから形成されている。
図３に示される可動スクロール６の鏡板面１０ａ側からみた平面図も参照すると、フラット部３０はラップ１４のうち、最外周側の１巻と略半巻目となる部分に該当し、鏡板面１０ａから先端までのラップ高さＨが最大となり、その先端は平坦なフラット面３０ａとなっており、可動スクロール６を固定スクロール８と組合わせたときに、フラット面３０ａと固定スクロール８の鏡板面１２ａとの間には最小のスラスト方向ギャップＧＭＩＮを残して最外周側の圧縮室２０が形成される。
【００２１】
一方、凹面部３４はラップ１４のうち、フラット部３０よりも最内周部３２側の全巻部分に該当し、図３中に斜線で示されており、ラップ１４の先端により形成される面が所定の曲率ｋとなる回転楕円面または球面をなす凹面３４ａを形成している。
凹面部３４におけるラップ１４のラップ高さＨはフラット部３０から最内周部３２にかけて滑らかに放物線状に減少し、最内周部３２において最小となっている。換言すると、凹面３４ａと対向する鏡板面１２ａとのスラスト方向ギャップＧはフラット部３０から最内周部３２にかけて滑らかに放物線状に増大し、最内周部３２において最大のギャップＧＭＡＸ（例えば６マイクロメートル程度）となる。
【００２２】
また、図３に示される凹面部３４とフラット部３０との境界部３６は凹面３４ａとフラット面３０ａとが段差無く滑らかに連続しており、曲率ｋはこのような境界部３６を形成するべく予め設定される。なお、凹面部３４からフラット部３０にかけ曲率ｋを連続的に変化させて境界部３６を形成しても良い。そして、可動スクロール６を固定スクロール８と組合わせたときには、可動スクロール６のラップ１４と対向する固定スクロール８の鏡板面１２ａとの間のスラスト方向ギャップＧがフラット部３０から最内周部３２にかけて滑らかに放物線状にて変化し、圧縮機の圧縮運転時におけるラップ１４，１６の熱膨張時には、フラット部３０の場合と同様に、最小のスラスト方向ギャップＧＭＩＮを残して最内周部３２側の圧縮室２０が形成される。
【００２３】
以下、図４に示される凹面部３４を形成するための凹面加工工程について説明する。
先ず、アルミ系材料からなる鏡板１０に対して切削加工を施すことにより、先端がフラット面３０ａとなるフラット部３０のみを有するラップ１４を形成する。
次に、フラット部３０の内周側に対して、凹面３４ａと略同一となる曲率ｋ’の凸加工面（凸面部）３８ａを有する凹面加工治具３８による切削加工を施す。凹面加工治具３８は例えば旋盤加工用のバイトやインサートチップであって、切削加工は例えば研削加工や旋削加工による凹面加工であり、ラップ１４の渦巻き中心Ｏを加工中心とし、凸加工面３８ａをラップ１４の先端に押圧しながら切削または研磨することにより、フラット部３０を最外周側のみ残して図４中の点線部分が椀形状に削られ、ラップ１４の最内周部３２側のみに凹面３４ａを有する凹面部３４を形成している。
【００２４】
このように構成される圧縮機の圧縮運転開始初期には、各ラップ１４，１６はほぼ常温の状態にある。そして、フラット面３０ａが鏡板面１２ａとの間に最小となるスラスト方向ギャップＧＭＩＮを介して対向しているから、吸入ポート１８側への漏れがない状態で最外周側の圧縮室２０に冷媒を確実に封じ込めることができる。
次に、当該圧縮機が暖機され、定格状態となったときには、吸入ポート１８から吸入された冷媒は、最外周側の圧縮室２０から最内周部３２側の圧縮室２０に順次送り込まれて圧縮され、このときに発生する圧縮熱等により、ラップ１４，１６は最外周側の１巻目から最内周部３２側の４巻目に亘って放射状に高温をなした温度分布となる。
【００２５】
詳しくは、各圧縮室２０内の圧力は最外周側の圧縮室２０から最内周部３２側の圧縮室２０に向けて圧力が順次高くなるため、最内周部３２側の圧縮室２０は最外周側の圧縮室２０よりも高温になり、各ラップ１４，１６も最外周側から最内周部３２側にかけて徐々に温度が高くなる。
また、ユニット２や軸受２４等を潤滑するための高温高圧の潤滑油が回転軸２６内を軸線方向に穿孔される図示しない給油路を上昇し、回転軸２６の上端から供給されることも、各ラップ１４，１６の最内周部３２側が最外周側よりも高温になる要因の１つである。そして、この温度上昇により各ラップ部１４，１６は熱膨張し、特にラップ１４の凹面部３４は最内周部３２側にかけて漸次大きく熱膨張し、最内周部３２近傍は最大の熱膨張量となる。
【００２６】
以上のように、本実施形態では、ラップ１４の先端により形成される面が所定の曲率ｋとなる回転楕円面または球面をなす凹面部３４を有することにより、凹面部３４の凹面３４ａの曲率ｋを圧縮機の圧縮運転時におけるラップ１４の熱膨張量に合わせ、圧縮運転時のラップ１４と対向する鏡板面１２ａとの間のスラスト方向ギャップＧを段差無く適正に保持することができ、ラップ１４，１６間のかじりや冷媒の漏れを確実に防止することができるため、圧縮機の圧縮効率及び耐久性を向上することができる。
【００２７】
ここで、上述したように、圧縮室２０の圧縮熱や潤滑油の熱により、ラップ１４の最内周部３２が最も高温となることから、ラップ１４、ひいては鏡板１０をラップ１４の熱膨張に係る伝熱部と捉え、ラップ１４の熱膨張に当該伝熱部を介して伝達される熱量が影響していると考えることもできる。そして、伝熱部の大きさに鑑みると、ラップ１４の渦巻状に沿って伝達される熱量よりも鏡板１０を介して最内周部３２から放射状に伝達される熱量の方が多いことが想定される。従って、凹面部３４を形成することにより、ラップ１４の熱膨張量に即したスラスト方向ギャップＧを保持することができ、ひいては圧縮機の圧縮効率及び耐久性の向上に大きく貢献する。
【００２８】
また、凹面部３４はラップ１４の最内周部３２が最小高さとなることにより、圧縮室２０における圧縮熱により最も高温となるラップ１４の最内周部３２を最も大きくなる熱膨張量に合わせてスラスト方向ギャップＧを更に適正に保持することができる。
更に、曲率ｋは凹面部３４がフラット部３０と滑らかに連続するべく予め設定されることにより、スラスト方向ギャップＧを確実に段差無く適正に保持することができる。
【００２９】
更に、凹面部３４は凹面加工治具３８の凸加工面３８ａをラップ１４の先端に押圧しながらラップ１４を切削または研磨することにより形成されるため、ラップ１４の渦巻き状に沿ってその先端に加工を施す場合に比して凹面部３４を短時間で形成できるため、ラップ１４の加工コスト、ひいては圧縮機の製造コストを低減しつつ圧縮機の圧縮効率及び耐久性を向上することができる。
【００３０】
次に、本発明の第２実施形態について説明する。
当該第２実施形態は、上記第１実施形態とは異なる凹面加工治具４０が装着された凹面加工装置（加工装置）４２を使用して、砥石による研削により凹面部３４を形成するものであり、他は上記第１実施形態と同様の構成をなすため、主として凹面加工治具４０及び凹面加工装置４２について説明する。
【００３１】
図５は、凹面加工装置４２の要部を示した縦断面図であり、凹面加工装置４２は、凹面加工治具４０とクランプ機構４４とから構成されている。
クランプ機構４４は、凹面加工治具４０の下側において可動スクロール６をチャック固定した状態で回転しながら鉛直方向に上下運動可能に構成されている。
凹面加工治具４０は、回転軸４６とその加工先端に装着された砥石部（凸面部）４８とから構成され、鉛直方向から所定の傾斜角θ（例えば約４５°程度）にて傾斜した状態で回転軸４６の軸心を中心としてクランプ機構４４の回転方向とは逆向きに回転可能に構成されている。
【００３２】
砥石部４８は、例えばＣＢＮ（Cubic Boron Nitride（立方晶窒化硼素））などのダイヤモンド並みの高硬度を有する材料から椀形状をなして形成され、砥石部４８の径方向中心Ｏ’の周囲に凹面加工に際して生じる切削及び研磨くずの逃げ空間として中空部５０が設けられている。
このように構成される加工装置４２は、クランプ機構４４の回転運動、押圧運動、及び凹面加工治具４０の回転運動の３運動の合成により、凹面加工治具４０と可動スクロール６のラップ１４とが一定の面接触状態を保ちながら凹面部３４を形成する。
【００３３】
詳しくは、先ず、可動スクロール６をラップ１４が上側に向いた状態で鏡板１０の外周面１０ｂにてクランプ機構４４にチャック固定する。このときの凹面加工治具４０とラップ１４とは、砥石部４８がラップ１４をその渦巻き中心Ｏを通過する境界線で分けたときのラップ半割領域５２のみに面接触可能な位置関係を有している。
次に、凹面加工治具４０に向けてクランプ機構４４を回転上昇させることにより、ラップ半割領域５２が回転中の砥石部４８に対して接触、押圧され、この押圧運動と同時にクランプ機構４４が回転することによって、ラップ１４が異なる領域において砥石部４８と一定の面接触状態を保ちながら研削される。これにより、砥石部４８の凸面４８ａの曲率ｋ’と略同一となる曲率ｋの凹面３４ａを有する凹面部３４が形成される。
【００３４】
以上のように、本実施形態では、凹面加工治具４０が装着された加工装置４２を用いて凹面部３４を形成することにより、凹面部３４の寸法精度を確保しつつ凹面加工における加工時間を更に短縮することができるため、ラップ１４の加工コスト、ひいては圧縮機の製造コストを更に低減しつつ圧縮機の圧縮効率及び耐久性を向上することができる。
具体的には、上記第１実施形態の凹面加工治具３８を使用する場合に比して、凹面加工において凹面加工治具４０とクランプ機構４４との互いの押圧運動に加え、これらの互いの回転運動が加わるため、凹面加工における加工時間を更に短縮することができる。
また、砥石部４８がラップ半割領域５２のみに面接触されることにより、上記第１実施形態の場合に比して、砥石部４８とラップ１４との接触領域を半減させることができるため、加工装置４２の凹面加工における加工精度の誤差の影響を半減することができ、凹面部３４の寸法精度を確保しつつ凹面加工における加工時間を短縮することができる。
【００３５】
更に、凹面加工治具４０がクランプ機構４４の回転方向とは逆向きに回転されることにより、砥石部４８とラップ１４との単位時間あたりの総接触面積を倍増させることができるため、凹面加工における加工時間をより一層短縮することができる。
以上で本発明の一実施形態についての説明を終えるが、本発明は上記実施形態に限定されるものではなく、本発明の趣旨を逸脱しない範囲で種々の変更ができるものである。
【００３６】
例えば、上記実施形態では、可動スクロール６のラップ１４に凹面部３４を形成することとしているが、ラップ１４の熱膨張が吸収され、スラスト方向ギャップＧが適正に保持されれば良く、ラップ１４をフラット部３０のみで形成し、固定スクロール８のラップ１６に凹面部を形成しても良い。この場合にも上記と同様に圧縮機の製造コストを低減しつつその圧縮効率及び耐久性を向上することができるという効果を奏する。
【図面の簡単な説明】
【００３７】
【図１】本発明の一実施形態に係るスクロール型圧縮機のスクロールユニットを示した縦断面図である。
【図２】図１の可動スクロールを示した縦断面図である。
【図３】図２の可動スクロールを鏡板面側からみた平面図である。
【図４】図２の凹面部の加工方法を示した縦断面図である。
【図５】図２の凹面部の別の加工方法及びその加工装置を示した縦断面図である。
【符号の説明】
【００３８】
６              可動スクロール
８              固定スクロール
１０，１２      鏡板
１０ａ，１２ａ  鏡板面
１４，１６      ラップ
２０            圧縮室
３０            フラット部
３２            最内周部
３４            凹面部
３８            凹面加工治具
３８ａ          凸加工面（凸面部）
４０            凹面加工治具
４４            クランプ機構
５２            ラップ半割領域
【図１】
2009216079.tif 000003
【図２】
2009216079.tif 000004
【図３】
2009216079.tif 000005
【図４】
2009216079.tif 000006
【図５】
2009216079.tif 000007